(57)【要約】      （修正有）【課題】皮膚に対するシェービングエイドの適合を促進するような方法で、シェービング中にユーザーの皮膚にシェービングエイドを供給するのに好適な、シェービングカートリッジを提供する。【解決手段】フロントエッジ部分３０と、リアエッジ部分４０と、フロントエッジ部分３０及びリアエッジ部分４０のうち少なくとも１つ以上に配置されたウィング５０であって、ウィング５０の５０％超がエラストマー材を含み、少なくとも一つのウィングが、それぞれ近位端と遠位端とを有する複数のウィングタブを備える、ウィングと、を備えるフレームと、ウィングタブ５５に取り付けられたシェービングエイド部分と、フロントエッジ３０とリアエッジ４０との間に配置された複数のブレードを含むブレードユニットと、を備える。【選択図】図４
0003196870.tif 000002
【実用新案登録請求の範囲】
【請求項１】
ａ）
１）フロントエッジ部分（３０）と、
２）リアエッジ部分（４０）と、
３）該フロントエッジ部分（３０）及び該リアエッジ部分（４０）のうち少なくとも１つ以上に配置されたウィング（５０）であって、前記ウィング（５０）の５０％超がエラストマー材を含み、少なくとも一つの該ウィングが、それぞれ近位端と遠位端とを有する複数のウィングタブを備える、ウィングと、を備えるフレーム（２０）と、
ｂ）該ウィングタブ（５５）に取り付けられたシェービングエイド部分（６０）と、  ｃ）該フロントエッジ（３０）と該リアエッジ（４０）との間に配置された複数のブレード（９０）を含むブレードユニット（８０）と、を備える、シェービングカートリッジ（１０）。
【請求項２】
前記ウィングタブ（５５）の１つ以上が、それぞれの前記遠位端（５３）で独立に可動である、請求項１に記載のシェービングカートリッジ（１０）。
【請求項３】
該ウィングタブ（５５）の１つ以上の前記遠位端（５３）が、保持部材（５６）を介して互いに接合されている、請求項１に記載のシェービングカートリッジ（１０）。
【請求項４】
該ウィング（５０）が、縦リブ（５７ｃ）、外周リブ（５７ａ、ｂ）、及びこれらの組み合わせからなる群から選択される補強部材（５７）を備える、請求項１に記載のシェービングカートリッジ（１０）。
【請求項５】
該補強部材（５７）が、該ウィング（５０）の上面又は下面のうち少なくとも一方に配置されている、請求項４に記載のシェービングカートリッジ（１０）。
【請求項６】
該ウィングタブ（５５）の１つ以上が補強部材（５７）を備える、請求項１に記載のシェービングカートリッジ（１０）。
【請求項７】
該補強部材（５７）が、該ウィングタブ（５５）の上面又は下面のうち少なくとも一方に配置されている、請求項６に記載のシェービングカートリッジ（１０）。
【請求項８】
該ウィング（５０）が、ユーザーの皮膚表面に対する前記シェービングエイド部分（６０）の適合を可能にする、請求項１〜７のいずれか一項以上に記載のシェービングカートリッジ（１０）。
【請求項９】
該カートリッジが２つのウィング（５０）を備え、それぞれが該ユニット（８０）のフロントエッジ部分（３０）及びリアエッジ部分（４０）に配置される、請求項１〜８のいずれか一項以上に記載のシェービングカートリッジ（１０）。
【考案の詳細な説明】
【技術分野】
【０００１】
本考案は組成が主にエラストマーであるウィングの上に取り付けられた、固体のシェービングエイドを含むシェービングカートリッジに関する。
【背景技術】
【０００２】
湿式シェービング用のかみそりは通常、ハンドルにより支えられるカートリッジを包含し、カートリッジ、直線の鋭いエッジが付いた細長いブレード、又は平行なエッジを有する複数のそのようなブレードを包含する。カートリッジは、ブレードエッジ（単数又は複数）が鈍くなった時にかみそり全体を廃棄するという意図のもとで、ハンドルに固定的に取り付けられてよい。あるいは、カートリッジは、取り外し可能にハンドルに連結されて、使用したブレードユニットを新しいカートリッジと交換可能にすることができる。
【０００３】
一部のシェービング消費者、特に女性は、このタイプのかみそりをシャワー中に使用する。例えば、女性は、その脚を剃る時、剃る予定の皮膚の第１区域に石鹸の薄膜又は泡を塗布してその区域を剃り、第２区域に石鹸を塗布してその区域を剃ることが多い。シェービングが完了するまで、このプロセスが繰り返される。この方法でのシェービングは、シェービング消費者の多くが滑り易いバスルームの床上にぎこちない姿勢で立ったままで、片手に湿った石鹸バーを保持して他方の手でかみそりを操ることを一般に必要とするので、困難でイライラさせることがある。
【０００４】
かみそり上に取り付けられた石鹸を提供することによって、この問題に対処しようという試みがなされた。例えば、米国特許第６，５８４，６９０号には、例えば、カートリッジを取り巻く石鹸の塊の形体で、シェービング準備物を担持するかみそりが記載されている。
【先行技術文献】
【特許文献】
【０００５】
【特許文献１】米国特許第６，５８４，６９０号
【考案の概要】
【考案が解決しようとする課題】
【０００６】
しかしながら、シェービング実施中の皮膚に対してシェービングエイドを塗布するだけでなく、シェービングされる皮膚の不均一な表面への順応性の改善を提供するかみそり製品を望む、高度なシェービング消費者のニーズを満たす必要性がいまだ残っている。
【課題を解決するための手段】
【０００７】
本考案は、皮膚に対するシェービングエイドの適合を促進するような方法で、シェービング中にユーザーの皮膚にシェービングエイドを供給するのに好適な、シェービングカートリッジを特徴とする。一態様において、本考案は：
ａ）
１）フロントエッジ部分と、
２）リアエッジ部分と、
３）フロントエッジ部分及びリアエッジ部分のうち少なくとも１つ以上に配置されたウィングで、ウィングの大半がエラストマー材を含むウィングと、を備えるフレームと、  ｂ）フレームのウィングに取り付けられたシェービングエイド部分と、
ｃ）そのフロントエッジ部分とリアエッジ部分との間に配置された複数のブレードを含むブレードユニットと、を備えるシェービングカートリッジを特徴とする。
【０００８】
本考案の実施形態の１つ以上の詳細を添付図面及び以下の説明に示す。本考案の他の特徴及び利点は、説明及び図面、並びに実用新案登録請求の範囲から明らかになる。
【図面の簡単な説明】
【０００９】
【図１】本考案の一実施形態のカートリッジの表側斜視図。
【図２】図１のカートリッジの裏側斜視図。
【図３】図１のカートリッジの平面図。
【図４】本考案のシェービングカートリッジフレームの一実施形態の表側斜視図。
【図５】図４のフレームの平面図。
【図６】本考案のシェービングカートリッジフレームの第２実施形態の表側斜視図。
【図７】図６のフレームの平面図。
【図８】本考案の複数のウィングタブの一実施形態を示す。
【図９】本考案の複数のウィングタブの第２実施形態を示す。
【図１０】本考案の複数のウィングタブの第３実施形態を示す。
【考案を実施するための形態】
【００１０】
本考案は、１つ以上のウィングの存在により、取り付けられたシェービングエイドの改善された構造を使用中に呈するシェービングカートリッジに関し、かかるウィングの大半は、エラストマー材を含む。本明細書で使用される用語「大半」又は「ほとんど」は、５０％超、６０％超、７０％超、８０％超、９０％超、更には１００％がエラストマー材からなる、エラストマー材を含むことを意味する。図１、２、及び３を参照すると、本考案のシェービングカートリッジ１０は、フレーム２０を含み、これは、フロントエッジ部分３０及びリアエッジ部分４０を更に含み、これらは、互いに平行に配置される。フロントエッジ部分３０及びリアエッジ部分４０のうち１つ以上に、シェービングエイド部分６０の配置が示されている。フレーム２０の開口部７０内に配置されているのは、ブレードユニット８０であり、これには、複数のブレード９０が含まれている。フレーム２０には、フロントエッジ部分３０及びリアエッジ部分４０に対して垂直に配置されている２つの相対するサイドエッジ部分３５もある。カートリッジのフレーム２０は、ブレードユニット８０に（永久的又は取り外し可能に）取り付けられている。旋回するフード１００が示されている。フードは、カートリッジ１０とハンドル（図示せず）との間の取り付け機構の一部として機能する。
【００１１】
図４及び５はそれぞれ、フロントエッジ部分３０及びリアエッジ部分４０に配置されたウィング５０を伴うフレーム２０を示す。ウィング５０は、ウィング５０の基底部５１から延出する複数のウィングタブ５５を含む。このウィング５０は、機械的取り付け（例えば、ウィングの下面をフレームの凹部にスナップフィット）を介して、フレームに接合されてよい。あるいは、ウィングは、フレームに接着又は結合させてよい。具体的な一実施形態において、大半がエラストマー材を含むウィングは、フレームを含む成形型にエラストマー材を押し出すことによって接合させてよく、これは硬質又は半硬質プラスチックで形成されてもよい。それぞれのウィングタブ５５は、近位端５２及び遠位端５３を有する。この実施形態では、ウィングタブ５５は、それぞれの遠位端５３において独立に可動である。
【００１２】
図６及び７には、更なる一実施形態のウィングを示す。この実施形態は、ウィングタブ５５の１つ以上を互いに接合して一体型ウィングを形成する、保持部材５６を含む。この実施形態において、保持部材５６は、２つの隣接するウィングタブのみの間の距離にわたってよく、又は２つを超えるウィングタブの間の距離にわたってもよい。更に、この保持部材５６は、ウィングタブの遠位端にあってよく、又はそれぞれ別のウィングタブの遠位端と近位端の間に配置されてもよい。このエラストマー材は、約５０ショアＡ未満の硬度を有してよく、例えば、約４０ショアＡ未満であってよい。エラストマー材は、例えば、商標名ＫＲＡＴＯＮ（登録商標）として市販されているブロックコポリマーであってよい。特定の場合、このエラストマー材は、十分な耐化学性を有しており、これにより、シェービングエイド部分の構成成分に長期にわたって接触しても劣化しない。
【００１３】
図１〜３のシェービングエイド６０は、当業者に周知の方法（例えば、注入成形又は押出成型）により、ウィングに取り付けられる。理論によって制限されるものではないが、出願者らは、ウィング及びそれぞれのウィングタブのエラストマー性によって、使用中に摩滅するシェービングエイドの量の関数として、独立に、シェービング消費者の皮膚の形状に対するシェービングエイドのさまざまな部分（例えば、左側、右側、中央部分）の適合が促進されると考える。例えば、シェービングエイドの右側が、左側よりも容易に摩滅する場合、ウィングの右側のエラストマーウィングタブは、皮膚に対して押しつけることができ、これにより、シェービングエイドが存在する限り、右側に残っているシェービングエイドを供給することができる。同様に、シェービングエイド部分のさまざまな部分は、シェービングエイド部分からシェービングエイドを供給するようシェービング消費者が使用することによって、必要に応じて、皮膚に対して偏向して当たることが可能となる。
【００１４】
図８、９、及び１０はそれぞれ、ウィングタブのさまざまな実施形態の拡大詳細図を示す。これらの実施形態は、さまざまな形態の補強部材５７を示している。ウィングには、外周リブ５７ａ、５７ｂ、横リブ（図示せず）、縦リブ５７ｃ、及びこれらの組み合わせからなる群から選択される補強部材５７が含まれる。外周リブ５７ａ、５７ｂは、ウィングタブのエッジ部分全体に沿って配置される。縦リブ５７ｃは、ウィングタブの長手方向に沿って配置され、同様に横リブ（図示されていないが想像可能）は、ウィングタブの横方向に沿って配置される。これらの補強部材５７は、皮膚に対するシェービングエイド部分の適合を補助するのにもっと硬度が必要な場合に、ウィングタブに剛性を付加する役割をする。
【００１５】
図１〜３のシェービングエイド部分６０は、ウィングの幅にわたって広がり、これにより単一ウィングに沿ったウィングタブが、シェービングエイド部分の容積内に包含される。このシェービングエイド部分は、皮膚に接触すると、撓んでいない（凹面）正常位置から、さまざまに屈曲した位置へと、弾力的に撓む。この撓みによって、脇の下の窪み（腋窩）又は膝の後ろなどの到達が困難又は制限された区域内で、かみそりが容易に使用できるようになる。シェービングエイド部分の撓みはまた、シェービング中に過度の圧力をユーザーが加える場合に、シェービングエイド部分の早過ぎる摩滅及びユーザーへの不快感も防ぐ。
【００１６】
シェービングエイド部分を形成するのに、いかなる所望の処方が用いられてもよい。ある実施形態では、シェービングエイド部分は、カートリッジの意図された寿命の間は持続するように、十分な耐磨耗性を有する。所望の場合、このフレームは、消費者により着脱可能及び交換可能であってよく、その場合、シェービングエイド部分は、カートリッジの交換が必要となる前に、使い尽くされてもよい。
【００１７】
場合によっては、シェービングエイド部分は、石鹸を、例えば、注入された石鹸又は押し出された石鹸を包含してよい。そのような石鹸系の組成物は、その硬さ、耐磨耗性、潤滑性、及び／又は皮膚加湿及びコンディショニング特性を高めるために、変成されてよい。
【００１８】
本考案の「考案を実施するための形態」で引用したすべての文献は、関連部分において本明細書に援用するが、いずれの文献の引用もそうした文献が本考案に対する先行技術であることを容認するものとして解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【００１９】
本考案の特定の実施形態が例示され記載されてきたが、本考案の趣旨及び範囲から逸脱することなく他の様々な変更及び修正を実施できることが、当業者には自明であろう。したがって、本考案の範囲内にあるそのようなすべての変更及び修正を添付の実用新案登録請求の範囲で扱うものとする。
【図１】
0003196870.tif 000003
【図２】
0003196870.tif 000004
【図３】
0003196870.tif 000005
【図４】
0003196870.tif 000006
【図５】
0003196870.tif 000007
【図６】
0003196870.tif 000008
【図７】
0003196870.tif 000009
【図８】
0003196870.tif 000010
【図９】
0003196870.tif 000011
【図１０】
0003196870.tif 000012